(57)【特許請求の範囲】
【請求項１】
取水路の水中に浸漬して配設された左右一対の下部スプロケットと、この下部スプロケットと対をなして水面上方に配設された上部スプロケットと、これらのスプロケットにそれぞれ巻回されてほぼ鉛直方向に延び且つこれらのスプロケットを介して循環移動する左右一対のエンドレスチェーンと、両エンドレスチェーンの各リンクに上記取水路を横断してそれぞれ取り付けられた複数の除塵機用バスケットとを備え、上記各エンドレスチェーンの循環移動に伴い上昇する上記各除塵機用バスケットにより塵芥を捕捉し、上記各除塵機用バスケットが上部スプロケットにおいて反転する時にそれぞれで捕捉した塵芥を落下分離するトラベリングスクリーンにおいて、
（１）上昇時のバスケットの姿勢において上辺部が取水路の下流側に下降傾斜するほぼ矩形状に形成された左右一対のエンドプレートと、
（２）上記各エンドプレートの下辺部に両端がそれぞれ固着され且つ前半部が上がり勾配に形成された塵芥バケットと、
（３）上記各エンドプレートの最上部に両端がそれぞれ固着されたアッパービームと、
（４）上記各エンドプレートの上辺部の下流側傾斜下端の角部に両端がそれぞれ固着された中間ビームと、
（５）上記中間ビームを下流側中間角部として上記アッパービームと上記塵芥バケット間に屈曲させて張設された一枚の網体と、
（６）上記各エンドプレートの間に上記取水路の幅方向に所定の小間隔を存して多数並設され且つ上記網体の断面形状に即して形成され上下端がそれぞれ上記アッパービーム及び上記塵芥バケットに固着され、上記網体の上下方向全長に渡るフラットバーからなる閉塞防止板と
を有することを特徴とする除塵機用バスケット。
【発明の詳細な説明】
【０００１】
【発明の属する技術分野】
本発明は、除塵機用バスケットに関し、更に詳しくはトラベリングスクリーン等に用いられるバスケットの構造に関する。
【０００２】
【従来の技術】
トラベリングスクリーンは、例えば、原子力発電所、火力発電所等で冷却用水として大量の海水を取水する際に、取水路に除塵機として設置されるものである。このトラベリングスクリーンは、図４に示すように、取水路の水中に浸漬して配設された下部スプロケット１と、この下部スプロケット１と対をなして水面の上方に配設された上部スプロケット２と、これら両スプロケット１、２間に巻回された無端状のキャリアチェーン３と、このキャリアチェーン３の各リンク４に等間隔に複数取り付けられた金網製濾過体を有するバスケット５とを備えている。また、上部スプロケット２は、無端状の駆動チェーン６を介してモータ７が連結され、モータ７が駆動するとバスケット５が取水路中の塵芥を捕捉して同図の矢印方向に上昇し、上部スプロケット２において反転する際にバスケット５中の塵芥が自然落下して固定シュート８を経由して塵芥トラフ９に集められる。
【０００３】
上記トラベリングスクリーンは、一般的に固定式バースクリーンあるいはバー回転式スクリーン等の粗大塵芥を除去する一次除塵機の下流側に二次除塵機として設置され、一次除塵機で粗大塵芥を一次除去した後に残留する塵芥を二次除去するものである。ところが、布片、ポリエチレン製袋、合成繊維シート、くらげ等の変形し易い無形状の塵芥（以下、「軟体塵芥」と称す。）は一次除塵機を素通りし、二次除塵機であるトラベリングスクリーンに到達する。トラベリングスクリーンのバスケットは、例えば目開き３〜２０ｍｍの金網製濾過体を主体に構成されているため、軟体塵芥が濾過体の濾過面に密着して被覆すると通水面積が減少すると共に濾過抵抗が増加し、これにより通水障害を起こし、その結果、取水量が減少して冷却能力が低下し、ひいては発電量が低下する原因になる。
【０００４】
そこで、本出願人は、特開平７−４２１３２号公報において濾過面積（通水面積）を大きくし、且つバスケットの幅方向に適宜の間隔で軟体塵芥を捕捉する突出アームからなる掬棚プレートを多数並設した除塵機用バスケットを提案した。
【０００５】
【発明が解決しようとする課題】
しかしながら、特開平７−４２１３２号公報における除塵機用バスケットの場合には、バスケット内で所定間隔（例えば３０〜２００ｍｍ間隔）をもって上流側にほぼ水平に突出する掬棚プレートの突出アームによりくらげ等の軟体塵芥を捕捉するようにしてあるが、突出アームがほぼ水平に突出しているため、バスケットが上昇する間に、一旦捕捉された軟体塵芥が掬棚プレート間を滑り、下方の金網面に落下して被覆し、もってバスケットの通水面積を減らし、通水量を低減させる虞があった。また、掬棚プレートの形状及びバスケットの構造が複雑でありコスト高になる等の課題があった。
【０００６】
本発明は、上記課題を解決するためになされたもので、軟体塵芥を取水中から確実に除去し且つ濾過体の本来の通水面積を安定的に確保することができ、しかも構造が簡単で且つ低コストで製造することができる除塵機用バスケットを提供することを目的としている。
【０００７】
【課題を解決するための手段】
本発明の請求項１に記載の除塵機用バスケットは、取水路の水中に浸漬して配設された左右一対の下部スプロケットと、この下部スプロケットと対をなして水面上方に配設された上部スプロケットと、これらのスプロケットにそれぞれ巻回されてほぼ鉛直方向に延び且つこれらのスプロケットを介して循環移動する左右一対のキャリアチェーンと、両キャリアチェーンの各リンクに上記取水路を横断してそれぞれ取り付けられた複数の除塵機用バスケットとを備え、上記各キャリアチェーンの循環移動に伴い上昇する上記各除塵機用バスケットにより塵芥を捕捉し、上記各除塵機用バスケットが上部スプロケットにおいて反転する時にそれぞれで捕捉した塵芥を落下分離するトラベリングスクリーンにおいて、上昇時のバスケットの姿勢において上辺部が取水路の下流側に下降傾斜するほぼ矩形状に形成された左右一対のエンドプレートと、上記各エンドプレートの下辺部に両端がそれぞれ固着され且つ前半部が上がり勾配に形成された塵芥バケットと、上記各エンドプレートの最上部に両端がそれぞれ固着されたアッパービームと、上記各エンドプレートの上辺部の下流側傾斜下端の角部に両端がそれぞれ固着された中間ビームと、上記中間ビームを下流側中間角部として上記アッパービームと上記塵芥バケット間に屈曲させて張設された一枚の網体と、上記各エンドプレートの間に上記取水路の幅方向に所定の小間隔を存して多数並設され且つ上記網体の断面形状に即して形成され上下端がそれぞれ上記アッパービーム及び上記塵芥バケットに固着され、上記網体の上下方向全長に渡るフラットバーからなる閉塞防止板とを有することを特徴とするものである。
【０００８】
【発明の実施の形態】
以下、図１〜図３に示す実施形態に基づいて本発明の除塵機用バスケットについて説明する。尚、各図中、図１は本発明の除塵機用バスケットの一実施形態の要部を示す正面図、図２は図１に示す除塵機用バスケットの側面図、図３は図１に示す除塵機用バスケットのＩＩＩ−ＩＩＩ線方向の断面図である。
【０００９】
本実施形態の除塵機用バスケット（以下、単に「バスケット」と称す。）は、トラベリングスクリーンの主要部を構成し、エンドレスチェーン（以下、「キャリアチェーン」と称す。）の循環移動に伴い上昇する間に取水中の塵芥を捕捉し、上部スプロケットにおいて反転する時にそれぞれで捕捉した塵芥を落下分離するように構成されている。そして、上記トラベルスクリーンは、基本的にはバスケットを除き従来のものに準じて構成されている。本実施形態のバスケット１０は、図１で部分的に示すように、キャリアチェーン２０に取り付けられている。このキャリアチェーン２０は、同図に示すように、多数のリンクプレート２１と、各リンクプレート２１を互いに連結するピン２２と、各ピン２２で回転自在に軸支されたローラ２３とを有している。そして、バスケット１０は各リンクプレート２１の上下に所定間隔を存して取り付けられた取付ボルト２４とバケットに固着しているボス２５を螺着して取り付けられている。
【００１０】
また、上記バスケット１０は、図１〜図３に示すように、キャリアチェーン２０による上昇時の姿勢において上辺部１１Ａが取水路の下流側（流れ方向の後方）に下降傾斜するほぼ矩形状に形成された左右一対のエンドプレート１１と、各エンドプレート１１の下辺部１１Ｂに両端がそれぞれ固着され且つ前半部１２Ａが上がり勾配に形成された曲面形状の塵芥バケット１２と、各エンドプレート１１の最上部１１Ｃに両端がそれぞれ固着された例えばアングル等からなるほぼＬ字状のアッパービーム１３と、各エンドプレート１１の上辺部１１Ａの下流側傾斜下端の角部１１Ｄに両端がそれぞれ固着された丸棒状または管状の中間ビーム１４と、アッパービーム１３から中間ビーム１４を経由して塵芥バケット１２に達し、断面形状がＬ字状になるようにアッパービーム１３と塵芥バケット１２間に張設された金網製の網体１５と、各エンドプレート１１の間で所定の小間隔（例えば、１００ｍｍ前後の間隔）をもって多数並設され且つ網体１５の断面形状に即してほぼＬ字状に形成され上下端がそれぞれアッパービーム１３及び塵芥バケット１２に固着されたフラットバーからなる閉塞防止板１６とを有し、塵芥バケット１２の上側が開口して形成されている。従って、キャリアチェーン２０に取り付けられた複数のバスケット１０により取水路の流路が塞がれ、流水は開口部からバスケット１０内に入り、網体１５を透過して流下する。
【００１１】
また、図３に示すように、上記網体１５の上端縁はアッパービーム１３に対してクランピングバー１３Ａを介してボルト１３Ｂによって全長に渡って固定され、その中間の角部は中間ビーム１４に対してクランピングバー１４Ａを介してボルト１４Ｂによって全長に渡って固定され、更に、その下端縁は塵芥バケット１２の下端縁に対してクランピングバー１２Ｃを介してボルト１２Ｂによって全長に渡って固定されている。また、網体１５の中間ビーム１４と塵芥バケット１２の間のほぼ中間の内面にはブラケット１７が配置され、網体１５がブラケット１７に対してクランピングバー１７Ａを介してボルト１７Ｂによって全長に渡って固定されている。上記各ボルトはクランピングバーの長手方向に所定間隔を空けて配置されている。そして、バスケット１０の上昇時の姿勢では、網体１５のアッパービーム１３と中間ビーム１４の間の部分は、流水の下流側に下降傾斜する天井部１５Ａとして形成され、その中間ビーム１４と塵芥バケット１２の間の部分は、流水の上流側に向けて下降傾斜する傾斜部１５Ｂとして形成されている。
【００１２】
また、上記閉塞防止板１６は、上述したようにほぼＬ字状に形成されたフラットバーからなり、上半部１６Ａが網体１５の天井部１５Ａに沿って下流側に下降傾斜し、下半部１６Ｂが網体１５の網体１５の傾斜部１５Ｂに沿って上流側に下降傾斜し、上昇時捕捉された軟体塵芥が天井部１５Ａ及び傾斜部１５Ｂに密着して付着するのを防止する。従って、バスケット１０の上昇時に流水中の軟体塵芥がバスケット１５内に入ると、まず閉塞防止板１６によって捕捉されて網体１５への付着が防止され、しかも捕捉された軟体塵芥はバスケット１０内で相対的に落下して塵芥バケット１２内に集積される。これにより網体１５の濾過面の閉塞が防止され、常に初期の通水量を確保し、通水量の減少を防止する。
【００１３】
また、図１、図３に示すようにバスケット１０の内部には所定間隔毎に補強リブ１８が取り付けられ、バスケット１０の機械的強度を補強している。補強リブ１８の取付位置では閉塞防止板１６に代わって補強リブ１８が取り付けられている。この補強リブ１８は、図３に示すように、流水の上流側に切欠部１８Ａが形成され、切欠部１８Ａ以外の周縁が網体１５に当接すると共に塵芥バケット１２の内周面に固着されている。また、補強リブ１８はアッパービーム１３に対しても固着されている。バスケット１０が上昇する姿勢では、上記切欠部１８Ａは鉛直な辺と、水平な辺から形成されている。
【００１４】
次に動作について説明する。モータ及びスプロケット（共に図示せず）を介してキャリアチェーン２０が循環移動すると、複数のバスケット１０は流水中を上昇する。この時、流水中で浮遊する軟体塵芥はバスケット１０内に入り込む。バスケット１０内に入り込んだ軟体塵芥の一部は、バスケット１０の上昇で発生する下向きの水流速分により落下して塵芥バケット１２内に集積される。また、残余の軟体塵芥は、水流により網体１５側に流れ、網体１５に付着しようとするが、その直前に多数並設された閉塞防止板１６によって捕捉される。捕捉された軟体塵芥は多数の閉塞防止板１６に跨いで捕捉され網体１５から遊離した状態になっている。そのため上述したバスケット１０の上昇により発生する下向きの水流速分により軟体塵芥は多数の閉塞防止板１６に沿って容易に押し下げられて塵芥バケット１２内に集積される。
【００１５】
以上説明したように本実施形態によれば、Ｌ字状の閉塞防止板１６を設けたため、閉塞防止板１６によりバスケット１０内に入り込んだ軟体塵芥を容易に塵芥バケット１２内に落下案内することができ、軟体塵芥による網体１５の閉塞を防止して常に本来の通水面積を確保することができ、本来の通水量を安定的に維持することができ、ひいてはトラベリングスクリーンを長期に渡って安定的に運転することができる。また、本実施形態によれば、網体１５は長方形状の一枚の金網から製作でき、この金網を、アッパービーム１３から塵芥バケット１２まで中間ビーム１４を介して屈曲させて張設することで一枚の網体１５として形成することができ、しかも、閉塞防止板１６がほぼＬ字状に形成されているため、網体１５及び閉塞防止板１６を低コストで製作することができ、ひいてはバスケット１０の製造コストの低減することができる。
【００１６】
更に、本実施形態によれば、網体１５の通水面積を例えば開口部の約１.５倍の大きさに採ることができ、閉塞防止板１６の閉塞防止効果と相俟ってバスケット１個当たりの除塵容量を格段に増加させることができる。また、本実施形態によれば、多数の閉塞防止板１６により網体１５の閉塞を確実に防止できるため、バスケット１０における流水抵抗が格段に減少し、トラベリングスクリーンの運転コストを低減することができる。
【００１７】
尚、本発明は上記実施形態に何等制限されるものではなく、各構成部材は必要に応じて適宜設計変更することができる。
【００１８】
【発明の効果】
以上説明したように本発明によれば、除塵機用バスケットは、上昇時のバスケットの姿勢において上辺部が取水路の下流側に下降傾斜するほぼ矩形状に形成された左右一対のエンドプレートと、上記各エンドプレートの下辺部に両端がそれぞれ固着され且つ前半部が上がり勾配に形成された塵芥バケットと、上記各エンドプレートの最上部に両端がそれぞれ固着されたアッパービームと、上記各エンドプレートの上辺部の下流側傾斜下端の角部に両端がそれぞれ固着された中間ビームと、上記中間ビームを下流側中間角部として上記アッパービームと上記塵芥バケット間に屈曲させて張設された一枚の網体と、上記各エンドプレートの間に上記取水路の幅方向に所定の小間隔を存して多数並設され且つ上記網体の断面形状に即して形成され上下端がそれぞれ上記アッパービーム及び上記塵芥バケットに固着され、上記網体の上下方向全長に渡るフラットバーからなる閉塞防止板とを有するため、軟体塵芥を取水中から確実に除去し且つ濾過体の本来の通水面積を安定的に確保することができ、しかも網体の構造等が簡単で且つ低コストで製造することができる除塵機用バスケットを提供することができる。
【図面の簡単な説明】
【図１】本発明の除塵機用バスケットの一実施形態の要部を示す正面図である。
【図２】図１に示す除塵機用バスケットの側面図である。
【図３】図１に示す除塵機用バスケットのＩＩＩ−ＩＩＩ線方向の断面図である。
【図４】従来のトラベリングスクリーンの全体を示す側面図である。
【符号の説明】
１０    除塵機用バスケット
１１    エンドプレート
１１Ａ  上辺部
１１Ｂ  下辺部
１１Ｃ  最上部
１１Ｄ  角部
１２    塵芥バケット
１２Ａ  前半部
１３    アッパービーム
１４    中間ビーム
１５    網体
１６    閉塞防止板
１７    ブラケット
１８    補強リブ
２０    キャリアチェーン
２１    リンクプレート（リンク）
２３    ローラ
【図１】
0003726156.tif 000002
【図２】
0003726156.tif 000003
【図３】
0003726156.tif 000004
【図４】
0003726156.tif 000005